(57)【要約】【目的】免震台の側面を被覆する巾木をハンドリフターによる移動運搬時に上記側面から退避させ免震台下へのハンドリフターの侵入を可能にする。【構成】免震台２の上下の架台３，４のいずれかに設けるガイド枠１６に摺動自由に支持する連結軸１５の軸端に昇降支持部材１７を備え、この昇降支持部材１７を介して免震台２の側面を被覆する巾木１４を取付け、ハンドリフター２１による移動運搬時に前記巾木１４を前記昇降支持部材１７を介して上昇させ、前記免震台２の下にハンドリフター２１の侵入を可能にする。【選択図】図８
2012137142.tif 000002
【特許請求の範囲】
【請求項１】
上架台と下架台の間に免震機構を介挿してなる免震台の上記上架台若しくは下架台のいずれかにガイド枠を設けて連結軸を摺動自由に支持し、該連結軸の軸端に取付ける巾木で前記免震台の側面を被覆する一方、免震動作時には上記巾木を前記上架台又は下架台の押圧により水平移動させて免震台の側面から外側方に退避するようにした免震装置において、前記連結軸の軸端に昇降支持部材を備え、該昇降支持部材を介して前記巾木を前記免震台の側面を被覆する常態位置と該常態位置から上昇させて前記免震台の側面を開放する上昇位置との間を自由に昇降移動可能となるよう支持してなることを特徴とした免震装置。
【請求項２】
請求項１に記載の免震装置において、前記昇降支持部材は連結軸の軸端に固定される固定支持体と、巾木に固定されて前記固定支持体に対し昇降自由に連結される昇降移動支持体とからなることを特徴とした免震装置。          
【請求項３】
請求項２に記載の免震装置において、前記昇降支持部材の固定支持体と昇降移動支持体は互いに摺動自由に嵌合する雄雌構造の支持体にして前記連結軸の軸端に固定される上記固定支持体に対して巾木に固定される上記昇降移動支持体を摺動自由に支持することを特徴とした免震装置。
【請求項４】
請求項２に記載の免震装置において、前記昇降支持部材は連結軸の軸端に立ち上がり状に固定される主枠体と、巾木の背面に固定される従枠体と、両枠体間に両端を回動自由に枢着して渡るリンク部材とから構成し、連結軸の軸端に固定される前記主枠体に対して巾木に固定される前記従枠体を前記リンク部材の回動によって昇降移動させることにより前記巾木を常態位置と上昇位置との間を移動可能に支持してなることを特徴とした免震装置。
【発明の詳細な説明】
【技術分野】
【０００１】
本発明は、博物館や美術館等において展示される展示物を地震等の振れから保護する免震装置に関する。
【背景技術】
【０００２】
博物館や美術館等で展示される展示物を地震等の振れから守るため展示台乃至展示ケースに免震機構を備えた免震装置が知られる。
この展示台乃至展示ケースに免震機構を組入れた免震装置は、展示台や展示ケースの本体部分の下に免震機構を組み入れ、床から伝わる地震等の振動を吸収して本体内部に展示する展示物が転倒したり、落下するのを防止する構造にしてある。
【０００３】
この免震装置の免震機構には様々ものが提案され、実用化されているが、代表的な構造のものとして上架台と下架台の間にレールとローラを組合せてなる免震機構を介挿し、床に固定する下架台に振動が伝ったとき、上記ローラの転動を通してレール上を滑らせ、これによって振れ幅を吸収してローラとレールによって支えられる前記上架台に振動が伝わるのを防止し、上架台上に載置される展示ケース本体部内に展示される展示物に振れが伝わらないようにした免震装置がある。
【０００４】
この免震装置は、水平に渡すレールにローラを滑合させ、振れを受けたときローラを転がして振れを吸収する構造に係ることから展示ケースの本体部分を支える上から安定的であり、しかもレールを直交する状態に上下二層に組んで、それぞれに滑合するローラを直交する方向に、且つ水平に移動自由となるように組合せることから全方向に対する振れに対応することができ、確実な免震機能を発揮することができるものとなっている。
【０００５】
これら免震機構を備えた免震装置は、展示ケースの性質上直接外観されるのを防ぐ必要があり、多くの場合、展示ケースの外観の一体性を図って前記免震機構の周囲を囲むように巾木を添わせて被覆する方法が採られている。
【０００６】
この場合、巾木の取り囲みによって免震作動時の免震運動が妨げられるのを防止するため、マグネットにより巾木を固定し、免震作動時には上架台乃至は下架台の動きによってマグネットの吸着を外して自由な免震運動を確保するようにしたもの、或は蝶番によって回動自由に支持して免震作動時には巾木を倒したり、跳ね上げて上，下架台の移動が阻害されないようにしたもの、等が知られる。
【０００７】
上記マグネット方式による場合、巾木が落下することから原状回復が厄介であり、また蝶番方式による場合に転倒させたり、跳ね上げに当って巾木の重量が影響する等不確実な要素があり、また被覆幅が広い場合には巾木を分割して巾木を小型化する必要があって外観を損なうと言った問題がある。
【０００８】
そこで、これらの問題を解決する方法として上，下架台のいずれかに案内部材を設けて水平に移動可能に支持部材を支持し、この支持部材の端部に巾木であるカバー部材を取り付け、免震作動時には上記上、下架台の動きによってこのカバー部材を押圧し、支持部材を水平に伸長させて巾木によって免震運動が妨げられないようにした技術が例えば特許文献１によって提案されている。
【先行技術文献】
【特許文献】
【０００９】
【特許文献１】特開２００３−１３０１３０号公報。
【００１０】
特許文献１に記載の免震装置は、振れを受けたとき、免震機構（免震部材３）の周囲を取り囲むようにして被覆する巾木（カバー部材２１）を上又は下の架台（１，２）で押圧し、この押圧により巾木を支持する支持部材（２４）を案内部材（２２）に案内させて免震機構の側面から遠避け、これにより巾木（カバー部材２１）によって上，下の架台（１，２）の免震運動が妨げられないようにしたもので、免震作動後は免震機構の側面を離れた巾木が上記支持部材（２４）に支持されたまゝにあることからこれを戻すことによって、つまり逆に押し戻すことで原状回復が図られるため巾木の原状回復作業が極めて容易になっている。
【発明の概要】
【発明が解決しようとする課題】
【００１１】
しかし、巾木によって免震機構を被覆するようにした上記従来の免震装置は、上述したように免震作動時にこの巾木を押し退けて免震運動を自由にすると同時に、免震作動後の原状回復作業も容易且つ迅速に行えるものとなったが、展示ケースとして実用化される免震装置の場合、展示場内で設置位置を移動させることがしばしばあり、この時運搬機、通常ハンドリフターに載せて移動運搬する必要がある。
【００１２】
展示物によって異るが、博物館，美術館で利用される展示台や展示ケースは、安定した展示を図るため数十キロから数百キログラムに及ぶものが一般的に使用されており、従ってこれを展示場内で移動させる場合ハンドリフターの使用が不可欠のものとなっている。
しかし、このハンドリフターを使用するとき、前記の巾木が障害となり、移動作業の都度免震機構の周囲を取り巻き被覆する巾木を一時的に取り外す必要があり、従来その作業が免震作動後の復旧作業に増して厄介なものとなっていたのである。
【００１３】
知られるように、ハンドリフターはフォーク状の載置台の下に車輪を備え、載置台の後部から立ち上げるハンドルを作業員が操作することにより移動させる手押し車型の運搬機であり、展示ケースを移動運搬する場合は、展示ケースの下にフォーク状の載置台を侵入させてこれに載置したのちハンドルを操作して目的の場所に移動し、その後載置台を引き抜くことで移動作業を行うものとなっているが、載置台を展示ケースの下に侵入させるとき巾木が障害物となることから作業上これを取り除くことが必須のものとなっている。
【００１４】
しかし、前述したように特許文献１に記載の免震装置においては、巾木は支持部材を伸長させて水平方向に移動し、免震機構（免震部材３）の側面から離れる動作は可能であっても、床に案内されて水平に侵入するハンドリフターの載置台に対しては常時障害物の状態にあるため案内部材２２から支持部材２４を引き抜いて外すか、或は支持部材２４の先端から巾木（カバー部材）２１を外して取り除くかの方法を採らざるを得ないものとなっていたのである。
このことは、前記マグネット方式による巾木の取付けにおいても、また前記蝶番方式による場合も同じであり、ハンドリフターの使用に直ちに対応するものとはなっておらず、その着脱作業を余儀無くされていたのである。
【課題を解決するための手段】
【００１５】
本発明は、上記従来の免震装置におけるハンドリフターの使用時における不便に鑑みこれを改善すべく開発されたものであり、特に免震装置の免震機構を被覆する巾木の本来的目的を損なうことなくハンドリフターによる運搬作業時にこの巾木をハンドリフターの載置台の侵入位置から退避させ、その侵入を可能にすると共に、運搬作業の終了後は簡単に巾木を原状位置に復帰させて免震機構に対する被覆機能を簡単且つ迅速に戻せるようにした展示ケース等において有効に実施することができる免震装置を提供せんとするものである。
【００１６】
更に本発明を詳述するならば、この発明は上架台と下架台の間に免震機構を介挿してなる免震台の上記上架台若しくは下架台のいずれかにガイド枠を設けて連結軸を摺動自由に支持し、該連結軸の軸端に取付ける巾木で前記免震台の側面を被覆する一方、免震動作時には上記巾木を前記上架台又は下架台の押圧により水平移動させて免震台の側面から外側方に退避するようにした免震装置において、前記連結軸の軸端に昇降支持部材を備え、該昇降支持部材を介して前記巾木を前記免震台の側面を被覆する常態位置と該常態位置から上昇させて前記免震台の側面を開放する上昇位置との間を自由に昇降移動可能となるよう支持してなることを特徴とした免震装置を提供することにある（請求項１に係る発明）。
【００１７】
上記本発明は、ガイド枠に摺動自由に支持される連結軸に巾木を支持させることにより、免震機構の側面にこの巾木を臨ませて被覆し、免震機構の露出を防ぐと共に、免震作動時には上架台若しくは下架台によって上記巾木を押圧して免震機構の側面から外方に向けて退避させ、これによって免震運動を円滑に行うことができるようにする一方、平常時においては免震機構の側面に臨み、これを被覆する状態にある前記巾木を連結軸の軸端に昇降支持部材を介して連結し、取付け支持することによって免震機構の側面を被覆する常態位置から上昇し、この側面を開放する上昇位置に変換するようにしてハンドリフターの侵入を可能にしたものである。
【００１８】
この巾木の上昇操作は、手動によって行うことになり、常態位置においてそのまゝ巾木を上昇させ（また連結軸をガイド枠から引き伸してその状態で上昇操作してもよい。）、ハンドリフターによる運搬作業後再び昇降支持部材によって下降誘導して常態位置に戻し、被覆することができる。勿論、連結軸を引き出して上昇させた場合は、連結軸を原状に戻すことは言うまでもない。
【００１９】
また本発明は、前記免震装置において、前記昇降支持部材は連結軸の軸端に固定される固定支持体と、巾木に固定され前記固定支持体に対し昇降自由に連結される昇降移動支持体とからなることを特徴とした免震装置を提供するものである（請求項２に係る発明）。
【００２０】
この発明は、昇降支持部材を固定支持体と昇降移動支持体から構成して連結軸の軸端に固定される固定支持体に対して昇降移動支持体を上昇移動自由に支持させ、この固定支持体をガイドにして巾木を被覆常態位置から被覆を開放する上昇位置へと移動可能にするもので安定した巾木の昇降操作を行うことができる。
【００２１】
また、本発明は前記免震装置において、前記昇降支持部材の固定支持体と昇降移動支持体は互いに摺動自由に嵌合する雄雌構造の支持体とし、前記連結軸の軸端に固定される上記固定支持体に対して巾木に固定される上記昇降移動支持体を摺動自由に支持することを特徴とした免震装置を提供することにある（請求項３に係る発明）。
【００２２】
この発明は、昇降支持部材を構成する固定支持体と昇降移動支持体とを互いに嵌り合って且つ摺動自由に滑合する構造にして連結軸の軸端に固定される固定支持体に対して昇降移動支持体を円滑に昇降誘導し、巾木の安定した昇降動が行えるようにしたものである。
【００２３】
また本発明は、前記免震装置において、前記昇降支持部材は連結軸の軸端に立ち上がり状に固定される主枠体と、巾木の背面に固定される従枠体と、両枠体間に両端を回動自由に枢着して渡るリンク部材とから構成し、連結軸の軸端に固定される前記主枠体に対して巾木に固定される前記従枠体を前記リンク部材の回動によって昇降移動させることにより前記巾木を常態位置と上昇位置との間を移動可能に支持してなることを特徴とした免震装置を提供することにある（請求項４に係る発明）。
【００２４】
この発明は、巾木を支持する昇降支持部材の固定支持体と昇降移動支持体の両者を共に主、従の枠体にして、この両枠体間にリンク部材を渡し、それぞれの端部を各枠体に対して回動自由に枢着して連結させたもので、このリンク部材によって連結軸側の主枠体に巾木側の従枠体を吊り下げ状態に支持して巾木を常態位置に吊り下げ支持する一方、巾木の上昇時にはこの巾木の押上げと共に前記リンク部材を端部の枢着部を支点に回転させて主枠体を上昇移動させ、跳ね上がる上記リンク部材の支持によって巾木を上昇位置に移動変換させるようにしたものである。
【発明の効果】
【００２５】
本発明は、上述したように免震機構の側面を被覆する巾木を、この巾木を支持する連結軸に対して被覆状態にある常態位置から上昇位置に位置移動可能にして前記免震機構の側面を開放し、これによって展示ケースの下部に運搬手段となるハンドリフターの載置台の侵入を可能にすることから巾木を取り外したりすることなく、簡便に移動の運搬作業をすることができる。しかも、作業後は昇降支持部材を介して巾木を引き下ろし、再び被覆状態に戻すことができることから展示ケースの移動運搬を迅速に行うことができる。
【００２６】
そして、本発明免震装置は、巾木を支持する連結軸がガイド枠に摺動自由に滑合して免震作動時に巾木が上下架台の押圧を受けたとき、上記ガイド枠を介して連結軸を伸し、巾木を免震機構の側面から遠ざけて上下架台の水平方向への免震運動を妨げることがないので巾木の昇降機能が付加されても免震機能を失うことがなく常に安定した機能を確保することができる。
【図面の簡単な説明】
【００２７】
【図１】展示ケースを支持する本発明に係る免震装置の免震台の平面図。
【図２】免震台の正面側及び背面側の巾木と巾木を支持する連結軸等を省略した拡大正面図。
【図３】免震台の左右側面の巾木と巾木を支持する連結軸等を省略した拡大右側面図。
【図４】図２に示す免震台の一部断面とした要部の拡大正面図。
【図５】一部を断面とした要部の拡大平面図。
【図６】巾木を支持する昇降支持部材を分解した状態の要部の拡大正面図。
【図７】図６に示す要部の一部を断面とした平面図。
【図８】ハンドリフターを侵入させるため巾木を上昇させた状態を説明する正面図。
【図９】図８の平面図。
【図１０】免震台の下にハンドリフターを侵入させた状態を説明する正面図。
【図１１】図１０の平面図である。
【発明を実施するための形態】
【００２８】
添付する図面は、本発明に係る免震装置を示した一例である。以下、これら図面に基づいて本発明を明らかにする。
図面の図１は、本発明免震装置１の要部となる免震台２の平面図であり、図２は上記免震台２の拡大した正面図、図３は同じく右側面図である。図面において、符号３は免震台２を構成する上架台であり、４は同じく下架台を示し、５はこの上、下の架台３，４の間に介挿される免震機構である。
【００２９】
上架台３及び下架台４は、図１に示されるようにここでは正方形状の肉厚板材から形成してあり、下架台４は下面の４隅に設ける支脚６‥‥を床Ｆ上に設置することによって水平に支持され、また上架台３はこの下架台４の上方に免震機構５を介して同じく水平に支持される。
【００３０】
免震機構５は、上下架台３，４の中間に水平姿勢に配置される矩形に枠組したフレーム７を基体にしてその上下にレール８，８とローラ９，９、及びレール１０，１０とローラ１１，１１からなる２つの滑り機構を各配置して構成してあり、上記フレーム７が図面において左右方向に、また前後方向に移動自由となるよう支持されている。
【００３１】
上記免震機構５を更に詳述すると、フレーム７は正方形状に枠組し形成してあり、このフレーム７の前方側（正面側）の部分７ａと後方側（背面側）の部分７ｂのそれぞれの上面に左右方向に長さを揃えて直列状に２本の前記レール８，８を配置し、これらの各レール８，８に対向するように上架台３の下面に設けるローラ軸受部１２，１２に前記ローラ９，９を回転自由に支持し、上の滑り機構を形成している。
【００３２】
他方、前記フレーム７の左右の側部分７ｃ，７ｄには各外側面の前後に間隔を置いて支軸１３，１３を植設し、これに前記ローラ１１，１１を回転自由に軸承させる一方、このローラ１１，１１に対応させて下架台４の左右の上面に前後方向に長さを揃えて直列状に２本の前記レール１０，１０をそれぞれ配置固定し、前記ローラ１１，１１を転動自由となるよう組合せて下の滑り機構を形成している。
【００３３】
ところで、上記レール８，８及び１０，１０は、それぞれローラ９，９、１１，１１と滑合する上面を長さ方向の中央部において最も低くなる弧状の曲面に形成して、これに滑合するローラ９，９、１１，１１が平常時には重量を受けて最も低い中央部に位置するようにしてある。そして、横方向からの負荷を受けたとき、つまり揺れを受けたとき、その作用方向に従って弧状のレール面に沿って端部に向けて弧面を登るように転り上昇し、更には最端部を限界にして登り詰めたところで逆方向に転動して他端に向けて転り移動し上昇するようにしてあり、これの繰り返しによってレール上を往復運動するようにしてある。尚、レール８，１０に対する脱輪を防止するため、各ローラ９，１１は鍔付きのローラにしてある。
【００３４】
従って、上記構成される免震機構５は、図１，２において床Ｆに支脚６によって支えられる下架台４が左右方向に地震等の振動を受けて移動すると、この移動が前記左右のレール１０，１０とこれに滑合するローラ１１，１１が前後方向に向いていることから直接フレーム７に伝わることになり、このフレーム７を左右方向に移動させることになる。このためフレーム７上に設置したローラ９，９がレール８，８に沿って転り移動することになり、振れが吸収されることから上架台３には前記下架台４の移動が伝達されず、静止状態が保持されることになる。
【００３５】
一方、床Ｆの前後方向の移動によって下架台４が前後方向に移動させられると、前後方向に長さを揃えて設置されたレール１０，１０に滑合する左右のローラ１１，１１がその長さ方向に沿って転り移動するため、この前後方向の移動は吸収されてフレーム７には伝達されず、従って上架台３には床Ｆに生じた振れが伝わらないことになる。
免震機構５におけるこれらの動きは、前後，左右方向と規則的な動きに対してばかりではなく、それぞれの動き、移動を合成することにより床から下架台４に伝わる全方向からの振れに対応し、それぞれのローラ９，１１を転動させて上架台３に作用する振れを吸収し、免震機能を発揮することになる。
【００３６】
尚、図面には省略するが、上架台３の上部、即ち免震台２の上部には本発明免震装置１が展示ケースとして実施される場合には展示ケースの本体Ｋが、また展示台となる場合には同様に台座が載置固定されることになる。
【００３７】
さて、図中の符号１４は、前記免震台２の四方側面を取り囲み、免震機構５を被い隠す巾木であり、１５及び１６はこの巾木１４をここでは下架台４に取付け支持する連結軸と、これを支持するガイド枠である。
巾木１４は、上架台３と下架台４を含む免震機構５の側面全体を被う大きさの板材を以て形成してあり、前後左右の４面を４枚の巾木１４で囲むことにより免震台２の側面全面を被覆するようにしてある。
（尚、添付する図面の中にはこれらの巾木の内、内部の構造を明らかにするため正，背面乃至左右側面のいずれかの巾木を省略して示すものがある。）
【００３８】
上記巾木１４を支持する連結軸１５は、下架台４の四方の各下面において、それぞれの縁部に間隔を置いて固定する前記ガイド枠１６にそれぞれ外方（外側方）に向けて摺動自由に滑合支持される。そして、下架台４の縁部から外に突き出る軸端に巾木１４を取付け、この巾木が垂直に起立した状態で支持されるようにしてある。
【００３９】
ガイド枠１６は、筒形に形成してあり、貫通する中空部に連結軸１５を挿通して下架台４の外に向けて水平に出入り自由に支持し、平常時には貫通する上記連結軸１５を内方に後退させて軸端に取付ける巾木１４が上下の架台３，４の各縁部に近接した状態に保持されるようにしてある。尚、ガイド枠１６の内壁に図面上破線で示したように滑合体を介装して連結軸１５の摺動性を高めるようにするとよい。
【００４０】
図中、１７は前記連結軸１５の軸端に前記巾木１４を昇降自由となるよう支持するための昇降支持部材である。
図面に示す昇降支持部材１７は、図４〜図７に拡大して示したように固定支持体１７ａと昇降移動支持体１７ｂの２つの部材から構成して一方の固定支持体１７ａは連結軸１５の軸端に固定し、他方の昇降移動支持体１７ｂは巾木１４の背面に固定するようにしてある。
【００４１】
ここに示す固定支持体１７ａは断面チャンネル形（Ｃ字形）に形成してあり、また他方の昇降移動支持体１７ｂはこのチャンネル形の内部に収り、長さ方向に沿ってガタ付くことなく自由に摺動できる断面Ｔ字形に形成してあり、共に後述する昇降域を分離することなく摺動できるように所要の長さを以て形成してある。
そして、固定支持体１７ａは連結軸１５の軸端に溶接する固定部材１８にネジ１９を介して直立した状態に固定し、また昇降移動支持体１７ｂは巾木１４の背面に直接取付け固定してある。
【００４２】
上記２つの部材１７ａ，１７ｂは、直立する固定支持体１７ａの上端に巾木１４に固定した昇降移動支持体１７ｂの下端を臨ませ差し込むように嵌め付けることで、この両者を組合せ、固定支持体１７ａに対して巾木１４の昇降移動支持体１７ｂを摺動自由に滑合する。そして、昇降移動支持体１７ｂは上端に設けるストッパー２０を固定支持体１７ａの上端に当接することによって下降を止め、これによって巾木１４の下端が床Ｆに近接した位置に止まり、この巾木１４が免震台２の側面を被う状態、つまり常態位置を確保することができるようにしてある。
【００４３】
本発明免震装置１は、上述の如く構成されるもので、免震台２上に展示ケースＫを組付けた場合、このケース部分に展示物を収納し、下架台４の下面に備える支脚６を床Ｆに載置固定することによって展示に供せられることになる。
そして、この免震装置は、使用時に地震等の振れを受けたとき、その振れの方向に従って、例えば図面１，２において振れが左右方向に発生した場合、この振れに伴って床Ｆに固定した免震台２の下架台４が左右に振れ、更にこの下架台４の上面に固定した前後方向に長さを向けた左右の各レール１０，１０と、このレール１０，１０に対してそれぞれ滑合するローラ１１，１１がそのまゝレールと共に左右に振れることになり、その結果、このローラ１１，１１を軸承するフレーム７がこの振れに伴って左右方向に振れることになる。
【００４４】
そうした中で、上記フレーム７の左右方向の振れに伴い上面のレール８，８が左右方向に移動することになり、これに滑合するローラ９，９が回転してこの移動を吸収することになり、原状位置を確保することになる。このためローラ９，９を軸承する上架台３にはフレーム７の上記左右方向の移動は伝達されず、ここに振動の吸収が行われて免震機能が発揮されることになる。
【００４５】
尚、上記免震時におけるローラ９，９は、レール８，８の左右方向の移動に伴って弧状をなすレール面を端部に向けて乗り上がるようにして上昇し、この上昇を通して転りが抑制され、徐々に転りを停止する。そして、停止した後逆回転に転じて他端に向けて移動し、この動作を繰り返すことによって左右方向の振動を吸収し、上架台３、更には展示ケースＫに振れが伝わるのを防止することになる。
【００４６】
一方、床Ｆの振れが前後方向に生じた場合には、振れる方向に長さを向けたレール１０，１０が下架台４と共に前後方向に移動して、この移動に伴って滑合するローラ１１，１１を転がし、振れを吸収することになる。その結果、フレーム７に振動が伝わるのを防止することになる。
そして更に、床Ｆに図面上左右、前後以外の振れが生じた場合には、振れ方向の成分のうち、前後の振れをローラ１１，１１が回転することによって、また左右の振れをローラ９，９の転りがそれぞれ吸収して、これらの合成によって上架台３に伝わる振れを防止することになる。従って、免震台２を通した振れは、全方向からのものが吸収されることになり、展示ケースＫに伝達されるのを防止することになる。
【００４７】
この様な免震台２における免震作動時に、左右方向の振れを受けて下架台４が左右に移動すると、これに伴って連結軸１５に支持され、免震台の左右の側面を被う左右の巾木１４，１４が振れを受けずに定位置に静止する上架台３の左右の縁部に衝突することになる。この衝突を受けると、巾木１４はガイド枠１６に滑合させた連結軸１５を伸長させて外方に逃げることになり、この結果、静止する上架台３を押圧して移動するのを回避することになる。
【００４８】
この震動に伴う上記下架台４の振れは、前後方向においても同様に発生させることになり、前後の巾木１４を上架台３の前後の縁部に衝突する事態を発生させることになる。このとき、いずれにおいても巾木１４を支持する連結軸１５は、ガイド枠１６を案内に外方に伸長し、静止状態にある上架台３に対して押圧力を作用させることがないことから下架台４に生じる振れをこれら巾木１４を通して上架台３に伝達するのを回避する。
【００４９】
そして、また前後左右方向の振れ以外の振れによって下架台４に振れを生じた場合、前記したように上架台３の定位置における静止状態が保たれることから、この上架台３とそれぞれの巾木１４との衝突が発生することになる。しかし、衝突と同時に連結軸１５が伸ばされて巾木１４を外方に自動的に逃すため、上架台３を揺らすことはない。
【００５０】
この様にして振れに伴って連結軸１５を伸長させ、免震台２の側面から離れた巾木１４は、免震作動後上下架台３，４が原状に復帰して静止した時点で手により外側面を軽く押圧すれば、前記ガイド枠１６を案内にして上記連結軸１５を後退させることができ、再び免震台２の側面を被う被覆状態に戻すことができる。
【００５１】
次に、図８乃至図１１は、上記構成に係る本発明の免震装置の移動運搬の実際を説明したものである。
知られるように博物館や美術館等の展示場において使用される展示ケースや展示台は、展示場の中央部分の床の上に独立した状態で配置されることが多く、また展示物相互の位置関係等によって複数台を整列させたり、分散して配置したりすることがあり、更にはこれらを展示企画の設定に合せて、或は配置替えのために展示場内を移動させることがしばしばある。
【００５２】
前記説明に係る本発明免震装置も、移動可能な床置き型の展示ケースとして実施されており、また展示ケース全体として免震台２を含んで相当な重量となるよう設計されることからその移動運搬に当っては運搬具が使用されることになり、一般的に使用されるハンドリフター２１によって運搬されることになる。
ハンドリフター２１は、図９に示したようにフォーク状の載置台２２に車輪２３，２４を備え、後部に立ち上げるハンドル２５を操作して荷物を運搬するものであり、このハンドリフター２１で本発明免震装置１を運搬する場合には免震装置の下に載置台２２を差し入れて持ち上げた常態で運搬することになる。
【００５３】
既に説明したように、従来提供される免震装置、例えば特許文献１に記載の免震装置においては、巾木であるカバー部材２１を免震装置に対して案内部材２２と支持部材２４を介して取付けてあり、カバー部材自体は水平方向にしか移動しないためハンドリフターを使用する場合には載置台２２の差し入れの邪魔になるカバー部材を免震装置から取り外す必要がある。
しかし、本発明免震装置においては、免震台２の周囲を囲む巾木１４について、連結軸１５に対して上昇可能に支持することから、つまり巾木１４を上昇移動支持部材１７を介して上方にスライドさせることができることからこの巾木１４を取り外すことなく免震台２の側面を開放して載置台２２の侵入を図ることができるものとなっている。
【００５４】
図８は、この巾木１４を上昇移動支持部材１７の固定支持体１７ａをガイドにして昇降移動支持体１７ｂを摺動させ、上昇させた姿を示している。この上昇によって免震台２の開放された側面を通して載置台２２を差し入れ、その後図示しない昇降装置を操作してこの載置台２２を上昇させて免震台を浮き揚げ、運搬移動を可能にする。
運搬に当っては一旦上昇させた上記巾木１４を一旦降して載置台２２上に受け止め、この状態で目的部所まで移動することになる。図１０、図１１は、巾木１４を降した状態を示しており、運搬の準備を完了した状態を示している。
【００５５】
移動を完了した免震装置は、巾木１４を再度持ち上げ、ハンドリフターの載置台２２を引き抜いたのち、上昇移動支持部材１７を案内にストッパー２０が固定支持体１７ａの上端に当接するまで引き下げ、常態位置に戻してその運搬作業を終了することになる。
【００５６】
この様に本発明免震装置は、免震台２による免震機能を有し、また巾木１４による免震台周囲の被覆が行われ、また免震作動時において定位置にあって静止状態にある上架台３と振れに伴う上記巾木１４との衝突を利用して連結軸１５を伸長させ、上記上架台３に対する押圧を回避して静止状態を保持すると共に、免震作動後は上記伸長した連結軸１５を元に戻すべく押し込むことで再び巾木１４を原状の被覆位置に戻せるものとなり、更にはこの免震装置の運搬時には連結軸１５に支持される上記巾木１４を連結関係を解くことなく上昇させ、これによりハンドリフター２１の載置台２２の差し入れ、引き抜きを可能にするものであって簡便に運搬作業を行うことができるものとなっているのである。
【００５７】
しかも、本発明免震装置は、巾木１４を連結軸１５に連結し支持させた状態のまゝ手で持ち上げることで上昇させることができ、これにより免震台２の側面を開放し、また引き下げることで巾木１４を被覆状態に戻すことができることから前記従来の装置においてされていた巾木を免震装置から脱着する手間を省略することができ、従って迅速な移動作業が期待できる利点がある。
【００５８】
ところで、図面に示す実施の形態では、巾木を支持する上昇移動支持部材１７をＣ字形断面の固定支持体１７ａと、これに滑合するＴ字形断面の昇降移動支持体１７ｂとの組合せからなる雄，雌結合型としたが、この両支持体１７ａ，１７ｂの形状は相互に形状を入れ替えて固定支持体１７ａを雄形のＴ字形断面に、他方の昇降移動支持体１７ｂを雌形のＣ字形断面の枠体に形成しても同効である。勿論、この場合、両支持体１７ａ，１７ｂは相互に嵌め合せとなる等して長手方向に摺動するものであればＣ字形、Ｔ字形の断面形に特定されるものではなく任意選択することができることは説明するまでもないことであろう。
【００５９】
更に進んで本発明の免震装置における巾木を支持する昇降支持部材１７は、リンク部材を利用してこのリンク部材の回動によって固定支持体に対して昇降移動支持体を昇降自由に連結し、支持するものであってもよい。
例えば、前記固定支持体１７ａに相当する枠材を連結軸１５の軸端に立ち上り状に固定し、他方昇降移動支持体１７ｂに当る枠材を巾木１４の背面（内側面）に縦向きに配置してこの両枠体間にリンク部材を渡してそれぞれの端部を回動自由に枢着して連結支持することも可能である。
【００６０】
このリンク部材による連結について更に詳述すれば、バー状のリンク部材を選び、このリンク部材の連結において両端部を前記両枠体に対してそれぞれ回動自由に枢着し、常には巾木１４の重量を受けることでこの巾木１４側の枠体に枢着する端部を下にして吊り下り状態に支持し、この状態において上記巾木１４が免震台２の側面を被う常態位置にあるよう吊設支持する。
そして、巾木１４を上昇させ、免震台２の側面を開放する際は、固定支持体１７ａに対応する側の枠体に枢着する端部を支点にしてリンク部材を跳ね上げ方向に回動させ、この回動に伴って上昇する他端で昇降移動支持体１７ｂに対応する枠体を押し上げて巾木１４を上昇させ、免震台２の側面を開放するようにするのである。
【００６１】
このリンク部材による巾木１４の昇降幅は、リンク部材の長さによって決定されることになるので、ハンドリフターの載置台２２の高さを考慮してこれの出し入れに支障のない開放幅を確保できるようにリンク部材の長さを選択することになる。
【００６２】
尚、図面に示す実施の形態では巾木１４を支持する連結軸１５のガイド枠１６を下架台４の下面に設け、下架台４によって巾木を支持する構造のものを以て説明したが、このガイド枠１６を上架台３の下面に対して同様にして取付け、巾木１４を上架台３に支持させるようにしても同様に実施することができる。この場合、巾木１４は免震時に静止状態におかれる上架台３に支持させることから、震動によって振れる下架台４の縁部に衝突することになる。そして、この衝突を受けて外に押圧されて免震台２の側面から離れることになる点は、前記下架台４側に巾木１４を支持させた場合と同じであり、上架台３の静止状態を保つことができることも同じである。
【符号の説明】
【００６３】
１          本発明に係る免震装置
２          免震台
３          上架台
４          下架台
５          免震機構
７          免震機構に組込まれるフレーム
８，１０    レール
９，１１    ローラ
１４        巾木
１５        連結軸
１６        ガイド枠
１７        昇降支持部材
１７ａ      固定支持体
１７ｂ      昇降移動支持体
２０        ストッパ
２１        ハンドリフター
２２        ハンドリフターの載置台
Ｆ          床          
Ｋ          展示ケース
【図１】
2012137142.tif 000003
【図２】
2012137142.tif 000004
【図３】
2012137142.tif 000005
【図４】
2012137142.tif 000006
【図５】
2012137142.tif 000007
【図６】
2012137142.tif 000008
【図７】
2012137142.tif 000009
【図８】
2012137142.tif 000010
【図９】
2012137142.tif 000011
【図１０】
2012137142.tif 000012
【図１１】
2012137142.tif 000013